(57)【要約】【課題】送信機から受信機に対し、撮影画像情報のプリント指定を確実に行うことでき、受信機側で高品質の撮影画像情報をプリントすることができるファクシミリ装置を提供する。【解決手段】ファクシミリ装置は、ＣＰＵ２２がＲＯＭ２４に格納されている制御プログラムに従い制御を実行することにより、受信機能の制御プログラムにより、相手側送信機にＢＦＴ受信機能の有無を通知する機能と、相手側送信機に撮影画像情報の受信機能の有無を通知する機能と、相手側送信機に撮影画像情報に対応付けられているＤＰＯＦ情報の受信機能の有無を通知する機能とを実行する。また、相手側受信機にＢＦＴ送信を指定する機能と、相手側受信機に撮影画像情報の送信を指定する機能と、相手側受信機に送信が指定された撮影画像情報に対応付けられているＤＰＯＦ情報の送信を指定する機能とを実行する。【選択図】　　　図１
2004120068.tif 000002
【特許請求の範囲】
【請求項１】
カラー情報を通信可能なファクシミリ装置おいて、
受信機と、送信機と、撮像装置で撮影された撮影画像情報およびそれに対応付けられているＤＰＯＦ情報とを取り込む取り込み手段とを備え、
前記受信機は、相手側送信機にＢＦＴ受信機能の有無を通知する手段と、前記相手側送信機に前記撮影画像情報の受信機能の有無を通知する手段と、前記相手側送信機に前記撮影画像情報に対応付けられているＤＰＯＦ情報の受信機能の有無を通知する手段とを有し、
前記送信機は、相手側受信機にＢＦＴ送信を指定する手段と、前記相手側受信機に前記撮影画像情報の送信を指定する手段と、前記相手側受信機に前記送信が指定された撮影画像情報に対応付けられているＤＰＯＦ情報の送信を指定する手段とを有することを特徴とするファクシミリ装置。
【請求項２】
前記送信機が前記相手側受信機に対し前記撮影画像情報の送信を指定した際に、前記相手側受信機から、前記ＢＦＴ受信機能有り、前記撮影画像情報の受信機能有りおよび前記ＤＰＯＦ情報の受信機能有りが通知されると、前記送信機は、前記相手側受信機に対し、前記ＢＦＴ送信を指定し、前記撮影画像情報の送信を指定し、前記ＤＰＯＦ情報の送信を指定することを特徴とする請求項１記載のファクシミリ装置。
【請求項３】
前記送信機が前記相手側受信機に対し前記撮影画像情報の送信を指定した際に、前記相手側受信機から、前記ＢＦＴ受信機能有りおよび前記撮影画像情報の受信機能有りと前記ＤＰＯＦ情報の受信機能無しとが通知されると、前記送信機は、前記相手側受信機に対し、前記ＢＦＴ送信を指定し、前記撮影画像情報の送信を指定し、前記ＤＰＯＦ情報の送信を指定しないことを特徴とする請求項１記載のファクシミリ装置。
【請求項４】
前記送信機は、前記ＤＰＯＦの送信の有無を選択する手段を有し、
前記送信機が前記相手側受信機に対し前記撮影画像情報の送信を指定した際に、前記相手側受信機から、前記ＢＦＴ受信機能有り、前記撮影画像情報の受信機能有りおよび前記ＤＰＯＦ情報の受信機能有りが通知されると、前記送信機は、前記相手側受信機に対し、前記ＢＦＴ送信を指定し、前記撮影画像情報の送信を指定し、前記ＤＰＯＦの送信の有無に対する選択内容に応じて前記ＤＰＯＦ情報の送信を指定することを特徴とする請求項１記載のファクシミリ装置。
【請求項５】
前記送信機は、前記撮影画像情報を、ＢＦＴ送信でなく、カラーファクシミリ画情報として送信する場合は、前記相手側受信機に対し、前記ＤＰＯＦ情報の送信を指定しないことを特徴とする請求項１記載のファクシミリ装置。
【請求項６】
カラー情報を通信するためのファクシミリ通信方法において、
受信機側は、相手側送信機にＢＦＴ受信機能の有無を通知する工程と、前記相手側送信機に撮影画像情報の受信機能の有無を通知する工程と、前記相手側送信機に前記撮影画像情報に対応付けられているＤＰＯＦ情報の受信機能の有無を通知する工程とを有し、
送信機側は、相手側受信機にＢＦＴ送信を指定する工程と、前記相手側受信機に撮影画像情報の送信を指定する工程と、前記相手側受信機に前記送信が指定された撮影画像情報に対応付けられているＤＰＯＦ情報の送信を指定する工程とを有することを特徴とするファクシミリ通信方法。
【請求項７】
カラー情報のファクシミリ通信を行うためのプログラムであって、
受信機に用いられる第１のモジュールと送信機に用いられる第２のモジュールとを含み、
前記第１のモジュールは、相手側送信機にＢＦＴ受信機能の有無を通知するステップと、前記相手側送信機に撮影画像情報の受信機能の有無を通知するステップと、前記相手側送信機に前記撮影画像情報に対応付けられているＤＰＯＦ情報の受信機能の有無を通知するステップとを有し、
第２のモジュールは、相手側受信機にＢＦＴ送信を指定するステップと、前記相手側受信機に撮影画像情報の送信を指定するステップと、前記相手側受信機に前記送信が指定された撮影画像情報に対応付けられているＤＰＯＦ情報の送信を指定するステップとを有することを特徴とするプログラム。
【請求項８】
請求項７記載のプログラムをコンピュータ読み取り可能に格納したことを特徴とする記憶媒体。
【発明の詳細な説明】
【０００１】
【発明の属する技術分野】
本発明は、デジタルカメラなどの撮像装置で撮影された撮影画像情報を送信可能なファクシミリ装置、ファクシミリ通信方法、プログラムおよび記憶媒体に関する。
【０００２】
【従来の技術】
デジタルカメラで撮影された画像情報をプリントするファクシミリ装置が提案されている。また、一部の装置では、デジタルカメラで撮影した画像情報を送信する場合、この画像情報を一度ＲＧＢの情報に復元した後に、ＩＴＵ−Ｔ勧告Ｔ．４２、Ｔ．８１に基づいて再符号化してカラーファクシミリ情報に変換し、このカラーファクシミリ情報をファクシミリ送信することが可能である。すなわち、デジタルカメラで撮影した画像情報は、解像度が２００ｄｐｉであるカラーファクシミリ情報に変換されて送信されることになる。
【０００３】
【発明が解決しようとする課題】
しかしながら、上記の従来例では、デジタルカメラで撮影した画像情報は、解像度が２００ｄｐｉであるカラーファクシミリ情報に変換されるので、受信機側では、デジタルカメラで撮影された高画質の画像をその解像度で記録することができない。
【０００４】
さらに、デジタルカメラにおいては、撮影した画像の印刷を自動化するための規格ＤＰＯＦ（Ｄｉｇｉｔａｌ　Ｐｒｉｎｔ　Ｏｒｄｅｒ　Ｆｏｒｍａｔ）に対応するものがある。このＤＰＯＦ対応のデジタルカメラでは、印刷する撮影画像、その出力枚数、日付入りの有無などを設定すると、その設定情報がＨＴＭＬ準拠のフォーマットで記録媒体に記録される。しかしながら、従来のファクシミリ装置では、このＤＰＯＦ情報を送信することができず、受信機側では、ＤＰＯＦ情報で指定された撮影画像の情報を記録することができない。
【０００５】
本発明の目的は、送信機から受信機に対し、撮影画像情報のプリント指定を確実に行うことでき、受信機側で高品質の撮影画像情報をプリントすることができるファクシミリ装置、ファクシミリ通信方法、プログラムおよび記憶媒体を提供することにある。
【０００６】
【課題を解決するための手段】
本発明は、上記目的を達成するため、カラー情報を通信可能なファクシミリ装置おいて、受信機と、送信機と、撮像装置で撮影された撮影画像情報およびそれに対応付けられているＤＰＯＦ情報とを取り込む取り込み手段とを備え、前記受信機は、相手側送信機にＢＦＴ受信機能の有無を通知する手段と、前記相手側送信機に前記撮影画像情報の受信機能の有無を通知する手段と、前記相手側送信機に前記撮影画像情報に対応付けられているＤＰＯＦ情報の受信機能の有無を通知する手段とを有し、前記送信機は、相手側受信機にＢＦＴ送信を指定する手段と、前記相手側受信機に前記撮影画像情報の送信を指定する手段と、前記相手側受信機に前記送信が指定された撮影画像情報に対応付けられているＤＰＯＦ情報の送信を指定する手段とを有することを特徴とする。
【０００７】
また、上記ファクシミリ装置において、前記送信機が前記相手側受信機に対し前記撮影画像情報の送信を指定した際に、前記相手側受信機から、前記ＢＦＴ受信機能有り、前記撮影画像情報の受信機能有りおよび前記ＤＰＯＦ情報の受信機能有りが通知されると、前記送信機は、前記相手側受信機に対し、前記ＢＦＴ送信を指定し、前記撮影画像情報の送信を指定し、前記ＤＰＯＦ情報の送信を指定することを特徴とする。
【０００８】
また、上記ファクシミリ装置において、前記送信機が前記相手側受信機に対し前記撮影画像情報の送信を指定した際に、前記相手側受信機から、前記ＢＦＴ受信機能有りおよび前記撮影画像情報の受信機能有りと前記ＤＰＯＦ情報の受信機能無しとが通知されると、前記送信機は、前記相手側受信機に対し、前記ＢＦＴ送信を指定し、前記撮影画像情報の送信を指定し、前記ＤＰＯＦ情報の送信を指定しないことを特徴とする。
【０００９】
また、上記ファクシミリ装置において、前記送信機は、前記ＤＰＯＦの送信の有無を選択する手段を有し、前記送信機が前記相手側受信機に対し前記撮影画像情報の送信を指定した際に、前記相手側受信機から、前記ＢＦＴ受信機能有り、前記撮影画像情報の受信機能有りおよび前記ＤＰＯＦ情報の受信機能有りが通知されると、前記送信機は、前記相手側受信機に対し、前記ＢＦＴ送信を指定し、前記撮影画像情報の送信を指定し、前記ＤＰＯＦの送信の有無に対する選択内容に応じて前記ＤＰＯＦ情報の送信を指定することを特徴とする。
【００１０】
また、上記ファクシミリ装置において、前記送信機は、前記撮影画像情報を、ＢＦＴ送信でなく、カラーファクシミリ画情報として送信する場合は、前記相手側受信機に対し、前記ＤＰＯＦ情報の送信を指定しないことを特徴とする。
【００１１】
また、本発明は、上記目的を達成するため、カラー情報を通信するためのファクシミリ通信方法において、受信機側は、相手側送信機にＢＦＴ受信機能の有無を通知する工程と、前記相手側送信機に撮影画像情報の受信機能の有無を通知する工程と、前記相手側送信機に前記撮影画像情報に対応付けられているＤＰＯＦ情報の受信機能の有無を通知する工程とを有し、送信機側は、相手側受信機にＢＦＴ送信を指定する工程と、前記相手側受信機に撮影画像情報の送信を指定する工程と、前記相手側受信機に前記送信が指定された撮影画像情報に対応付けられているＤＰＯＦ情報の送信を指定する工程とを有することを特徴とする。
【００１２】
また、本発明は、上記目的を達成するため、カラー情報のファクシミリ通信を行うためのプログラムであって、受信機に用いられる第１のモジュールと送信機に用いられる第２のモジュールとを含み、前記第１のモジュールは、相手側送信機にＢＦＴ受信機能の有無を通知するステップと、前記相手側送信機に撮影画像情報の受信機能の有無を通知するステップと、前記相手側送信機に前記撮影画像情報に対応付けられているＤＰＯＦ情報の受信機能の有無を通知するステップとを有し、第２のモジュールは、相手側受信機にＢＦＴ送信を指定するステップと、前記相手側受信機に撮影画像情報の送信を指定するステップと、前記相手側受信機に前記送信が指定された撮影画像情報に対応付けられているＤＰＯＦ情報の送信を指定するステップとを有することを特徴とする。
【００１３】
また、本発明は、上記プログラムをコンピュータ読み取り可能に格納したことを特徴とする。
【００１４】
ここで、ＢＦＴは、バイナリーファイルトランスファーの略であり、ＢＦＴ送信とは、ファイル情報を送信することを意味する。これは、ＩＴＵ−Ｔ勧告Ｔ．４３４で定義されている。
【００１５】
【発明の実施の形態】
以下、本発明の実施形態について図面を参照しながら説明する。
【００１６】
（第１の実施形態）
図１は本発明の第１の実施形態に係るファクシミリ装置の構成を示すブロック図、図２は図１のファクシミリ装置に適用されるＤＩＳ信号のＦＩＦのＸおよびＹビットと、ＤＣＳ信号のＦＩＦのＸおよびＹビットとの内容を示す図である。
【００１７】
ファクシミリ装置は、図１に示すように、電話回線２ａに接続されている網制御装置（以下、ＮＣＵという）２を備える。ＮＣＵ２は、電話網をデータ通信などに使用するための回線端末への接続を行うなどの電話交換網の接続制御、データ通信路への切換を行い、電話回線２ａと電話機４との接続、および電話回線２ａとハイブリッド回路６との接続を選択的に切り換える。ＮＣＵ２と電話機４とは信号線２ｂで接続され、ＮＣＵ２とハイブリッド回路６とは信号線２ｃで接続されている。ＮＣＵ２の切換動作は後述する制御回路５４で制御される。制御回路５４から信号線５４ａを介して与えられる制御信号が「０」であるとき、電話回線２ａと電話機４との接続が行われる。これに対し、制御信号が「１」であるとき、電話回線２ａとハイブリッド回路６との接続が行われる。なお、通常状態では、電話回線２ａと電話機４との接続が選択されている。
【００１８】
ハイブリッド回路６は、電話回線２ａを介して送信される送信系からの送信信号と、電話回線２ａを介して受信される受信系への受信信号とを分離する。
【００１９】
送信系は、ＣＣＤ（電荷結合素子）などの撮像素子と光学系から構成される読取回路１４と、発呼回路１０とを有する。読取回路１４は、送信原稿から主走査方向の１ライン分の画像を順次に読取り、その画像信号はバス２６に出力される。発呼回路１０は、バス２６からの信号により、電話番号情報を入力し、信号線１０ａにＤＴＭＦの選択信号を出力する。
【００２０】
バス２６に出力された画像信号は、符号化された後に、変復調器８に入力される。変復調器８は、バス２６の制御により指定された各伝送モードに応じて、ＩＴＵ−Ｔ勧告Ｖ．８、Ｖ．２１、Ｖ．２７ｔｅｒ、Ｖ．２９、Ｖ．１７、Ｖ．３４に基づいた変調および復調を行う。ファクシミリ送信時には、バス２６からの信号を入力して変調し、その変調信号を信号線８ａに出力する。ファクシミリ受信時には、信号線６ａに出力されている受信信号を入力して復調し、その復調信号をバス２６に出力する。
【００２１】
信号線８ａに出力された信号および信号線１０ａに出力された信号は、加算回路１２に入力される。加算回路１２は、入力された各信号を加算し、その加算した結果を送信信号として信号線１２ａに出力する。信号線１２ａに出力された送信信号は、ハイブリッド回路６およびＮＣＵ２を介して電話線２ａに送出される。
【００２２】
変復調器８からバス２６に出力された復調信号は、復号化された後に、記録回路１６に入力され、記録回路１６は、入力された情報を順次１ライン毎に記録する。
【００２３】
バス２６には、メモリ（ＲＡＭ）１８、操作部２０、ＣＰＵ（中央処理装置）２２、ＲＯＭ２４、カードインターフェイス２８が接続されている。メモリ１８は、ワーク用メモリとして利用されるとともに、読み取りデータの生情報または符号化した情報を格納し、また、受信情報または復号化した情報などを格納するために使用される。
【００２４】
操作部２０には、ワンタッチダイヤル、短縮ダイヤル、テンキー、＊キー、＃キー、スタートキー、ストップキー、セットキー、デジタルカメラで撮影した情報の送信選択キー、デジタルカメラで撮影した情報を送信する際のＤＰＯＦ（Ｄｉｇｉｔａｌ　Ｐｒｉｎｔ　Ｏｒｄｅｒ　Ｆｏｒｍａｔ）情報の送信選択キー、その他のファンクションキーなどの各種キーが設けられ、押下されたキー情報はバス２６に出力される。また、操作部２０には、表示部（図示せず）が設けられ、この表示部は、バス２６に出力されている情報を入力し、表示する。
【００２５】
ＣＰＵ２２は、ＲＯＭ２４に格納されている制御プログラムに基づき、ファクシミリ装置全体の制御を行うとともに、ファクシミリ伝送制御手順を実行する。
【００２６】
カードインターフェイス２８は、デジタルカメラで撮影された画像情報を含むメデイア情報を格納するためのメモリカード（例えばＣＦカード、スマートメディア、メモリスティックなど）を装着可能に構成され、このメモリカードからのメディア情報を読み出す。このメモリカードに格納されたメディア情報には、ＤＰＯＦ対応のデジタルカメラで撮影された画像などの画像情報と、ＤＰＯＦ情報とが含まれている。このＤＰＯＦ情報は、撮影された画像情報に対する出力の有無、出力枚数、日付情報などを表す情報であり、ＨＴＭＬ準拠のファーマットでメモリカードに記録される。
【００２７】
本実施形態は、相手側送信機に撮影画像情報（デジタルカメラで撮影された画像）の受信機能の有無を通知する機能と、相手側送信機に撮影画像情報に対応付けられているＤＰＯＦ情報の受信機能の有無を通知する機能とを有するとともに、相手側受信機に撮影画像情報の送信を指定する機能と、相手側受信機に送信が指定された撮影画像情報に対応付けられているＤＰＯＦ情報の送信を指定する機能とを有する。これらの機能は、ＩＴＵ−Ｔ勧告Ｔ．３０に従うプロトコルに対し、新規のプロトコルを追加することによって実現される。
【００２８】
具体的には、図２に示すように、ＤＩＳ信号のＦＩＦのＸビットにより、撮影画像情報の受信機能の有無が通知され、ＤＣＳ信号のＦＩＦのＸビットにより、撮影画像情報の送信指定が行われる。また、ＤＩＳ信号のＦＩＦのＹビットにより、ＤＰＯＦ情報の受信機能の有無が通知され、ＤＣＳ信号のＦＩＦのＹビットにより、ＤＰＯＦ情報の送信指定が行われる。
【００２９】
ＲＯＭ２４に格納されている制御プログラムには、受信機能を制御するためのプログラムと送信機能を制御するためのプログラムとが含まれている。受信機能を制御するためのプログラムは、相手側送信機にＢＦＴ受信機能の有無を通知する機能と、相手側送信機に撮影画像情報の受信機能の有無を通知する機能と、相手側送信機に撮影画像情報に対応付けられているＤＰＯＦ情報の受信機能の有無を通知する機能との実行を少なくとも制御することが可能である。また、送信機能を制御するためのプログラムは、相手側受信機にＢＦＴ送信を指定する機能と、相手側受信機に撮影画像情報の送信を指定する機能と、相手側受信機に送信が指定された撮影画像情報に対応付けられているＤＰＯＦ情報の送信を指定する機能との実行を少なくとも制御することが可能である。
【００３０】
また、相手側受信機に対し撮影画像情報の送信を指定した際に、相手側受信機から、ＢＦＴ受信機能有り、撮影画像情報の受信機能有りおよびＤＰＯＦ情報の受信機能有りが通知されると、相手側受信機に対し、ＢＦＴ送信が指定され、撮影画像情報の送信およびＤＰＯＦ情報の送信が指定される。
【００３１】
また、相手側受信機に対し撮影画像情報の送信を指定した際に、相手側受信機から、ＢＦＴ受信機能有りおよび撮影画像情報の受信機能有りとＤＰＯＦ情報の受信機能無しとが通知されると、相手側受信機に対し、ＢＦＴ送信および撮影画像情報の送信が指定されるが、ＤＰＯＦ情報の送信が指定されない。
【００３２】
撮影画像情報を、ＢＦＴ送信でなく、カラーファクシミリ画情報として送信する場合は、相手側受信機に対し、ＤＰＯＦ情報の送信を指定しない。
【００３３】
次に、本実施形態における制御について図３ないし図１１を参照しながら説明する。図３ないし図１１は図１のファクシミリ装置における制御手順を示すフローチャートである。
【００３４】
本実施形態では、図３に示すように、まずステップＳ２において、バス２６を介してメモリ１８をクリアし、続くステップＳ４で、バス２６を介して、操作部２０の表示部をクリアする。そして、ステップＳ６において、バス２６を介してＮＣＵ２のＣＭＬをオフする。
【００３５】
次いで、ステップＳ８において、受信が選択されたか否かを判定し、受信が選択されていないと判定されると、ステップＳ１０において、送信が選択されたか否かを判定する。ここで、送信が選択されていないと判定されると、ステップＳ１２において、その他の処理を実行し、そして、上記ステップＳ６に戻る。
【００３６】
上記ステップＳ１０において送信が選択されたと判定されると、図６のステップＳ４２において、デジタルカメラで撮影された情報の送信が選択されたか否かを判定する。すなわち、カードインターフェイス２８に装着されているメモリカード内のメディア情報の送信が選択されたか否かを判定する。ここで、デジタルカメラで撮影された情報の送信が選択されていないときには、原稿情報のファクシミリ送信が選択されたと判断し、ステップＳ４４において、原稿情報のファクシミリ送信を行う。そして、上記ステップＳ６（図３）に戻る。
【００３７】
上記ステップＳ４２において、デジタルカメラで撮影された情報の送信が選択されたと判定されたときには、ステップＳ４６において、バス２６を介してＮＣＵ２のＣＭＬをオンし、続くステップＳ４８で、バス２６を介して指定された宛先へ発呼する。そして、ステップＳ５０において、前手順を実行する。
【００３８】
次いで、ステップＳ５２において、ＤＩＳ信号のＦＩＦのＸビットが１であるか否かを判定する。ここで、ＤＩＳ信号のＦＩＦのＸビットが１であるときには、ステップＳ５４において、ＤＩＳ信号のＦＩＦのＹビットが１であるか否かを判定する。ＤＩＳ信号のＦＩＦのＹビットが１であると、ステップＳ５６において、残りの前手順を実行する。ここでは、ＪＰＥＧ送信、フルカラー送信およびＢＦＴ送信を指定する。また、撮影画像情報の送信指定のために、ＤＣＳ信号のＦＩＦのＸビットが１に、ＤＰＯＦ情報の送信指定のためにＤＣＳ信号のＦＩＦのＹビットが１にそれぞれ指定される。
【００３９】
次いで、図７のステップＳ５８において、メモリカードに格納された撮影画像情報（デジタルカメラで撮影された画像情報）のＢＦＴ送信を行うとともに、ＤＰＯＦ情報を送信する。そして、ステップＳ６０において、後手順を実行し、上記ステップＳ６に戻る。
【００４０】
上記ステップＳ５４においてＤＩＳ信号のＦＩＦのＹビットが１でないと判定されると、相手側にＤＯＰＦ受信機能がないと判断して、図８のステップＳ６２において、残りの前手順を実行する。ここでは、ＪＰＥＧ送信、フルカラー送信およびＢＦＴ送信を指定する。また、撮影画像情報の送信指定のために、ＤＣＳ信号のＦＩＦのＸビットは１に指定されるが、ＤＰＯＦ情報の送信は行わないため、ＤＣＳ信号のＦＩＦのＹビットは０に指定される。
【００４１】
次いで、ステップＳ６４において、メモリカードに格納された撮影画像情報（デジタルカメラで撮影された画像情報）のＢＦＴ送信を行う。ただし、ここでは、ＤＰＯＦ情報を送信しない。そして、上記ステップＳ６０において、後手順を実行し、上記ステップＳ６に戻る。
【００４２】
上記ステップＳ５２において、ＤＩＳ信号のＦＩＦのＸビットが１でないと判定されると、図９のステップＳ６６において、ＤＩＳ信号に基づき相手側受信機にＪＰＥＧ受信機能があるか否かを判定する。ここで、相手側受信機にＪＰＥＧ受信機能がないときには、図１０のステップＳ６８において、バス２６を介して、ＮＣＵ２のＣＭＬをオフする。続いて、ステップＳ７０において、バス２６を介して、操作部２０の表示部に「カラー送信できず、通信を中断しました」と表示する。この表示は、ユーザによる何らかのキー操作で消去される。そして、上記ステップＳ６に戻る。
【００４３】
上記ステップＳ７２において、相手側受信機にＪＰＥＧ受信機能があると判定された場合、図１１のステップＳ７２において、ＤＩＳ信号に基づき相手側受信機にフルカラー受信機能があるか否かを判定する。ここで、フルカラー受信機能がないときには、上記ステップＳ７０において、操作部２０の表示部に「カラー送信できず、通信を中断しました」と表示し、そして、上記ステップＳ６に戻る。
【００４４】
これに対し、フルカラー受信機能があるときには、ステップＳ７４において、残りの前手順を実行する。ここでは、ＪＰＥＧ送信およびフルカラー送信を指定するが、ＢＦＴ送信を指定しない。また、ＤＣＳ信号のＦＩＦのＸビットおよびＹビットはともに０に指定される。次いで、ステップＳ７６において、ＩＴＵ−Ｔ勧告Ｔ．４２，Ｔ．８１に基づいて、メモリカードに格納された撮影画像情報（デジタルカメラで撮影された画像情報）を２００ｄｐｉのカラー情報に変換し、カラーファクシミリ送信を実行する。そして、上記ステップＳ６０において、後手順を実行し、上記ステップＳ６に戻る。
【００４５】
上記ステップＳ８（図３）において受信が選択された判定された場合、ステップＳ１４において、バス２６を介してＮＣＵ２のＣＭＬをオンし、続くステップＳ１６で、前手順を実行する。ここでは、ＪＰＥＧ受信機能有り、フルカラー受信機能有り、およびＢＦＴ受信機能有りを通知するとともに、撮影画像情報の受信機能有りおよびＤＰＯＦ情報受信有りを通知するために、ＤＩＳ信号のＦＩＦのＸ、Ｙビットをともに１に指定する。
【００４６】
次いで、ステップＳ１８において、ＤＣＳ信号のＦＩＦのＸビットが１であるか否かを判定する。ここで、ＤＣＳ信号のＦＩＦのＸビットが１であるときには、デジタルカメラで撮影された画像情報の送信が指定されているので、図４のステップＳ２０において、ＢＦＴ送信が指定されているか否かを判定し、ＢＦＴ送信が指定されていないときには、ステップＳ２２において、通信エラー処理を実行し、そして上記ステップＳ６に戻る。
【００４７】
これに対し、ＢＦＴ送信が指定されているときには、ステップＳ２４において、ＤＣＳ信号のＦＩＦのＹビットが１であるか否かを判定する。ＤＣＳ信号のＦＩＦのＹビットが１であるときには、ステップＳ２８において、送信された情報（デジタルカメラで撮影された画像情報）をＢＦＴで受信し、ＤＰＯＦ情報により指定された方法で受信した情報をプリントする。そして、ステップＳ３０に進む。ＤＣＳ信号のＦＩＦのＹビットが１でないときには、ＤＰＯＦ情報が送信されていないので、ステップＳ２６において、送信された情報（デジタルカメラで撮影された画像情報）をＢＦＴで受信し、プリントする。そして、ステップＳ３０に進む。
【００４８】
ステップＳ３０では、後手順を実行し、そして、上記ステップＳ６に戻る。
【００４９】
上記ステップＳ１８において、ＤＣＳ信号のＦＩＦのＸビットが１でないと判定されると、図５のステップＳ３２において、ＤＣＳ信号に基づいてＪＰＥＧ送信が指定されているか否かを判定する。ここで、ＪＰＥＧ送信が指定されていないときには、ステップＳ３４において、モノクロ２値画像のファクシミリ受信およびそのプリントを行い、そして、上記ステップＳ３０において、後手順を実行する。
【００５０】
これに対し、ＪＰＥＧ送信が指定されているときには、ステップＳ３６において、ＤＣＳ信号に基づいてフルカラー送信が指定されているか否かを判定する。フルカラー送信が指定されているときには、ステップＳ４０において、フルカラー画信号のファクシミリ受信およびプリントを行う。そして、上記ステップＳ３０において、後手順を実行する。フルカラー送信が指定されていないときには、ステップＳ３８において、モノクログレースケール画像のファクシミリ受信およびプリントを行う。そして、上記ステップＳ３０において、後手順を実行する。
【００５１】
このように、本実施形態では、ファクシミリ通信において、送信機から受信機にＤＰＯＦ情報を送信することにより、送信機から受信機に対し、撮影画像情報（デジタルカメラで撮影された画像情報）のプリント指定を確実に行うことが可能になり、受信機側で高品質の撮影画像情報（デジタルカメラで撮影された画像情報）をプリントすることができる。
【００５２】
（第２の実施形態）
次に、本発明の第２の実施形態について図１２を参照しながら説明する。図１２は本発明の第２の実施形態に係るファクシミリ装置の制御手順の主要部を示すフローチャートである。本実施形態は、上述の第１の実施形態と同じ構成を有し、その説明は省略する。
【００５３】
本実施形態は、上述の第１の実施形態に対し、相手側受信機にＤＰＯＦ情報の受信機能がある場合に、ユーザの操作に応じてＤＰＯＦ情報の送信を行うか否かを選択する機能を有する点で異なる。具体的には、図１２に示すように、上記ステップＳ５４（図６）においてＤＩＳ信号のＦＩＦのＹビットが１であると判定された場合、ステップＳ８２において、メモリカード内のファイルにＤＰＯＦ情報があるか否かを判定する。ここで、メモリカード内のファイルにＤＰＯＦ情報があるときには、ステップＳ８４において、バス２６を介して操作部２０の情報を入力し、この入力された情報に基づいてＤＰＯＦ情報の送信が選択されているか否かを判定する。ＤＰＯＦ情報の送信が選択されているときには、上記ステップＳ５６（図６）に進む。
【００５４】
上記ステップＳ８２においてＤＰＯＦ情報がないまたはステップＳ８４においてＤＰＯＦ情報の送信が選択されていないと判定されたときには、上記ステップＳ６２（図８）に進む。
【００５５】
このように、本実施形態では、相手側受信機にＤＰＯＦ情報の受信機能がある場合に、ユーザの操作に応じてＤＰＯＦ情報の送信を行うか否かを選択することができ、ユーザにより高い利便性を与えることができる。
【００５６】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【００５７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはうまでもない。
【００５８】
【発明の効果】
以上説明したように、本発明によれば、撮像装置で撮影された撮影画像情報およびそれに対応付けられているＤＰＯＦ情報とを取り込む取り込み手段とを備え、受信機は、相手側送信機にＢＦＴ受信機能の有無を通知する手段と、相手側送信機に撮影画像情報の受信機能の有無を通知する手段と、相手側送信機に撮影画像情報に対応付けられているＤＰＯＦ情報の受信機能の有無を通知する手段とを有し、送信機は、相手側受信機にＢＦＴ送信を指定する手段と、相手側受信機に撮影画像情報の送信を指定する手段と、相手側受信機に送信が指定された撮影画像情報に対応付けられているＤＰＯＦ情報の送信を指定する手段とを有するので、送信機から受信機に対し、撮影画像情報のプリント指定を確実に行うことができ、受信機側で高品質の撮影画像情報をプリントすることができる。
【００５９】
また、送信機が、ＤＰＯＦの送信の有無を選択する手段を有することによって、ユーザにより高い利便性を与えることができる。
【図面の簡単な説明】
【図１】本発明の第１実施形態に係るファクシミリ装置の構成を示すブロック図である。
【図２】図１のファクシミリ装置に適用されるＤＩＳ信号のＦＩＦのＸおよびＹビットと、ＤＣＳ信号のＦＩＦのＸおよびＹビットとの内容を示す図である。
【図３】図１のファクシミリ装置における制御手順を示すフローチャートである。
【図４】図１のファクシミリ装置における制御手順を示すフローチャートである。
【図５】図１のファクシミリ装置における制御手順を示すフローチャートである。
【図６】図１のファクシミリ装置における制御手順を示すフローチャートである。
【図７】図１のファクシミリ装置における制御手順を示すフローチャートである。
【図８】図１のファクシミリ装置における制御手順を示すフローチャートである。
【図９】図１のファクシミリ装置における制御手順を示すフローチャートである。
【図１０】図１のファクシミリ装置における制御手順を示すフローチャートである。
【図１１】図１のファクシミリ装置における制御手順を示すフローチャートである。
【図１２】本発明の第２の実施形態に係るファクシミリ装置の制御手順の主要部を示すフローチャートである。
【符号の説明】
２　ＮＣＵ
４　電話機
６　ハイブリッド回路
８　変復調器
１０　発呼回路
１２　加算回路
１６　記録回路
１８　メモリ回路
２０　操作部
２２　ＣＰＵ
２４　ＲＯＭ
２６　バス
２８　カードインターフェイス
【図１】
2004120068.tif 000003
【図２】
2004120068.tif 000004
【図３】
2004120068.tif 000005
【図４】
2004120068.tif 000006
【図５】
2004120068.tif 000007
【図６】
2004120068.tif 000008
【図７】
2004120068.tif 000009
【図８】
2004120068.tif 000010
【図９】
2004120068.tif 000011
【図１０】
2004120068.tif 000012
【図１１】
2004120068.tif 000013
【図１２】
2004120068.tif 000014